(57)【要約】      （修正有）【課題】写真やメッセージカードなどを着脱自在な衣服を提供すること。【解決手段】表面を起毛した布状体４を被服に取り付け、裏面に雄型面状ファスナ―を取り付けた樹脂製の透明或いは半透明の袋体３を、布状体４に着脱自在に取り付けた衣服１であって、袋体３の中に写真或いはメッセージカードやＩＤカード等のカード類を収容する。【選択図】図１
0003216773.tif 000002
【実用新案登録請求の範囲】
【請求項１】
表面を起毛した布状体（４）を被服に取り付け、裏面に雄型面状ファスナ―（２）を取り付けた樹脂製の透明或いは半透明の袋体（３）を、布状体（４）に着脱自在に取り付けた衣服（１）。
【請求項２】
布状体（４）が雌型面状ファスナーである請求項１に記載の衣服（１）。
【請求項３】
布状体（４）を装飾柄にした請求項１又は請求項２に記載の衣服（１）。
【請求項４】
袋体（３）の中に写真或いはメッセージカードやＩＤカード等のカード類を収容した請求項１乃至請求項３いずれかに記載の衣服（１）。
【請求項５】
表面を起毛した布で被服（７）を形成し、裏面に雄型面状ファスナ―（２）を取り付けた樹脂製の透明或いは半透明の袋体（３）を、被服（７）に着脱自在に取り付けた衣服。
【請求項６】
袋体（３）の中に写真或いはメッセージカードやＤカード等のカード類をを収容した請求項５に記載の衣服。
【考案の詳細な説明】
【技術分野】
【０００１】
本考案は、写真やメッセージなどを記載したカードなどを着脱自在に取り付け可能な衣服に関する。
【背景技術】
【０００２】
衣服に写真をプリントすることは広く行われている。具体的には、専用のシートにパソコンのプリンターで印刷をし、その印刷に版を使い、 インクで接着させるための糊処理をしてそのシートを生地に圧着させていくという手段などが採用されている。
【０００３】
特許文献１には、水着又はリゾートウェア等の衣服であって、複数種類の装飾片を交換自在にした衣服が開示されている。特許文献２には、スナップファスナを用いて模様を着脱自在とした衣服が開示されている。
【先行技術文献】
【特許文献】
【０００４】
【特許文献１】特開平９−３１７２５号公報
【特許文献２】特開２００２−２０９２０号公報
【考案の開示】
【考案が解決しようとする課題】
【０００５】
昨今、チェキ（登録商標）と呼ばれるプリンタ機能を搭載したインスタントカメラで撮影した写真が、若い女性を中心に人気を博している。これはデジタルカメラやスマートフォンに付属するカメラで撮影したデジタル画像と異なる、アナログ写真の独特の風合いが新鮮であること、カードサイズの印画紙が斬新であることなどが理由といわれている。
【０００６】
本考案はかかるチェキに代表されるアナログ写真や、デジタル写真その他メッセージカード、更にはＩＤカードや身分証明書などを着脱自在な衣服を提供することを目的とする。
【課題を解決するための手段】
【０００７】
上記課題を解決する本考案の構成は、以下の通りである。  
【０００８】
（１）  請求項１に記載の衣服は、表面を起毛した布状体を被服に取り付け、裏面に雄型面状ファスナーを取り付けた樹脂製の透明或いは半透明の袋体を、布状体に着脱自在に取り付け構成した。
【０００９】
（２）  請求項２に記載の衣服は、請求項１に記載の考案において布状体を雌型面状ファスナーを用いて構成した。
【００１０】
（３）  請求項３に記載の衣服は、請求項１又は請求項２に記載の考案において、布状体を装飾柄に構成した。
【００１１】
（４）  請求項４に記載の衣服は、請求項１乃至請求項３いずれかに記載の考案において、袋体の中に写真或いはメッセージカードやＩＤカード等のカード類を収容して構成した。
【００１２】
（５）  請求項５に記載の衣服は、表面を起毛した布で被服を形成し、裏面に雄型面状ファスナーを取り付けた樹脂製の透明或いは半透明の袋体を、被服に着脱自在に取り付け構成した。
【００１３】
（６）  請求項６に記載の衣服は、請求項５に記載の考案において、袋体の中に写真或いはメッセージカードやＩＤカード等のカード類を収容して構成した。
【考案の効果】
【００１４】
上記のように構成される本考案が、如何に作用して課題を解決するかを図面を参照しながら概説する。
【００１５】
図１は本考案の実施状態を示している。Ｔシャツ５には布状体４が複数取付られており、しかも、該布状体４は表面が起毛されており、あるいは布状体４は雌型面状ファスナーであることから、裏面に雄型面状ファスナーを備えた袋体３を着脱自在に取り付けることが可能となるのである。
【００１６】
かかる形状とすることで、袋体３内に写真やメッセージカード等を収容することが可能となり、いわば写真等をまとった衣服を提供することが可能となる。
【００１７】
また、写真やメッセージカード等は入れ替え可能であることから、場面場面に応じた様々なお洒落を楽しむことが可能となる。更には、袋体３を大型にすれば、当然大型の写真等を収容可能であり、メッセージ効果の大きい衣服とすることも可能である。
【００１８】
かかる機能を有する衣服であるがゆえに、例えばアイドルのコンサートや握手会などに、応援しているアイドルの写真や応援メッセージを袋体３内に収容して、参加するといった利用が可能となる。
【００１９】
また、袋体３を取り外せば、洗濯が可能という利点もある。
【００２０】
更には、布体４を装飾柄、例えば図２に示すよう星形にしたり、図３に示すようにテープ柄にすることで、袋体３を取り付けていない状態でも違和感のない衣服として利用することが可能となるものである。
【００２１】
請求項５及び請求項６に記載の考案は、衣服自体を表面が起毛された布地で形成されており、図６に示すように衣服の表面任意箇所に袋体３を着脱自在に取り付けることが可能となる。
【図面の簡単な説明】
【００２２】
【図１】実施状態を示す説明図
【図２】装飾柄の一例を示す説明図
【図３】装飾柄の一例を示す説明図
【図４】袋体の裏面を示す説明図
【図５】袋体に写真を収容する工程を示す説明図
【図６】請求項５,６に記載の考案の正面図
【考案を実施するための形態】
【００２３】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００２４】
図１は本考案の実施状態を示すものである。Ｔシャツ５に、布状体４が縫製により複数取付られている。Ｔシャツを用いていることは勿論一例であり、シャツやトレーナー、ジャケットやコート等、他の衣服に布状体４を取り付けても実施可能である。
【００２５】
請求項１に記載の考案では、布状体として表面を起毛した薄手の布を利用している。具体的には、ポリウレタン樹脂等を含浸付与させた繊維絡合体の表面を起毛または立毛させて形成された、スエード調シートなどが利用可能である。就中、モールドマジック（登録商標）やトイクロス（登録商標）といった薄手の起毛シートが好適である。
【００２６】
請求項２に記載の考案では、布状体４として表面がループ状に密集して起毛された雌型面状ファスナーを使用している。
【００２７】
請求項３に記載の考案では、布状体４を装飾柄に形成してある。具体的には図２に示すように星柄にしたり図３に示すようにテープ柄にしたり、その他服飾デザインとして利用可能であり、且つ、袋体３が取り付け可能な形状の装飾柄を用いることが可能である。
【００２８】
袋体３は図５に示すように底面３ａ及び両側面３ｂは閉じられ、天面３ｃのみが開放された袋状態である。素材としてはに塩化ビニルやアクリル、ポリエチレン、ポリプロピレン、ポリエステル、ナイロン等の樹脂材を用い、透明或いは半透明に形成してある。袋体３の裏面には、図４に示すようにフック状その他の形状に起毛された雄型面状ファスナー２が取り付けてある。
【００２９】
また、図５においては、袋体３はＡ矢視方向では略方形を呈する形状に設けてあるが、Ａ矢視方向において六角形状やハート形その他の形状に設けても構わない。また大きさも、特に限定を受けるものではなく、着脱可能であれば任意の大きさの袋体を採用できる。
【００３０】
更には、袋体３の表面にホログラムシートなどの特殊フィルムや、レンズ性能を備えたシートなどを貼着しても構わない。
【００３１】
袋体３の開口部３ｄ近傍に、凹溝を有する凹溝条と、該凹溝に嵌合可能な凸状部を有する突条とから成る、繰返嵌合可能なチャックテ−プなどを設けて、開閉自在に形成しても構わない。
【００３２】
図５は、袋体３に写真６を収容する過程を示すものである。開口部３ｄから袋体３内に写真６を収容するものである。写真６に代え、メッセージ等を記載したカード類やＩＤカード、各種身分証明書、プリペイドカードなどを収容しても構わない。
【００３３】
請求項５、請求項６記載の考案は、図６に示すように、表面を起毛した布で被服７を形成してある。なお、被服７全てを表面を起毛した布で形成する必要はなく、例えば前身頃と後身頃を表面を起毛した布で形成し、袖は通常の布で形成するといった構成でも構わない。
【符号の説明】
【００３４】
１・・衣服
２・・雄型面状ファスナー
３・・袋体
４・・布状体
【図１】
0003216773.tif 000003
【図２】
0003216773.tif 000004
【図３】
0003216773.tif 000005
【図４】
0003216773.tif 000006
【図５】
0003216773.tif 000007
【図６】
0003216773.tif 000008